(57)【要約】【課題】簡単に、表示タイルと隣接する他の表示タイルとの間の目地を目立たなくすることで、映像の品位を向上させることが可能な表示装置を提供することを目的とする。【解決手段】ＬＥＤ表示装置２００は、複数のＬＥＤ表示素子が配列されたＬＥＤ表示タイル１ａ〜１ｒを上下方向および左右方向に複数配置して構成されたＬＥＤ表示装置である。ＬＥＤ表示装置２００は、各ＬＥＤ表示タイル１ａ〜１ｒの背面に連結されたジョイント１０を介して、複数のＬＥＤ表示タイル１ａ〜１ｒの背面を保持する背面フレームユニット２と、ジョイント１０または背面フレームユニット２に設けられ、かつ、ＬＥＤ表示タイルと、隣接する他のＬＥＤ表示タイルとの間の目地幅を調整する目地幅調整機構とを備えている。【選択図】図３
2018092060.tif 000002
【特許請求の範囲】
【請求項１】
複数の表示素子が配列された表示タイルを上下方向および左右方向に複数配置して構成された表示装置であって、
各前記表示タイルの背面に連結されたジョイントを介して、複数の前記表示タイルの背面を保持するフレームユニットと、
前記ジョイントまたは前記フレームユニットに設けられ、かつ、前記表示タイルと、隣接する他の前記表示タイルとの間の目地幅を調整する目地幅調整機構と、
を備えた、表示装置。
【請求項２】
前記目地幅調整機構は、各前記表示タイルの前後方向の位置を調整する第１調整機構を備え、
前記第１調整機構は、前記ジョイントのネジ穴に螺合可能なブッシュを備え、
前記ブッシュは、各前記表示タイルに設けられたボスを挿通可能に構成され、
前記ジョイントは、前記ブッシュが前記ネジ穴に螺合され、かつ、前記ボスが前記ブッシュに挿通された状態で前記ボスに螺合された連結ネジにより各前記表示タイルに連結され、
前記ブッシュを介して各前記表示タイルと前記ジョイントとの間の隙間を調整することで、各前記表示タイルの前後方向の位置を調整する、請求項１記載の表示装置。
【請求項３】
前記目地幅調整機構は、各前記表示タイルの上下方向または左右方向の位置を調整する第２調整機構を備え、
前記第２調整機構は、各前記表示タイルおよび前記フレームユニットに対して着脱可能な位置調整治具を備え、
前記位置調整治具は、取付け穴と、各前記表示タイルに設けられた嵌合穴に嵌合可能な嵌合ピンとを有し、
前記位置調整治具は、前記嵌合穴に前記嵌合ピンを嵌合させることで各前記表示タイルに固定され、かつ、前記取付け穴に遊嵌された取付けネジにより前記フレームユニットに取り付けられ、
前記取付け穴を介して前記位置調整治具の上下方向または左右方向の位置を調整することで、前記フレームユニットに対する各前記表示タイルの上下方向または左右方向の位置を調整する、請求項１または請求項２記載の表示装置。
【発明の詳細な説明】
【技術分野】
【０００１】
本発明は、ＬＥＤ（Ｌｉｇｈｔ  Ｅｍｉｔｔｉｎｇ  Ｄｉｏｄｅ）などの表示素子を正方配列状に複数配置したタイル状の表示パネルである表示タイルを、上下方向および左右方向に複数配置して構成された表示装置に関するものである。
【背景技術】
【０００２】
ＬＥＤなどの表示素子を複数用いて構成される表示タイルは、表示素子の技術発展と低コスト化のおかげで、屋外および屋内の広告表示等に多く使用されている。表示タイルを備える表示装置は、これまで自然画およびアニメーションの動画像の表示等に用いられることが主流であった。しかし、屋内の広告表示等に使用される場合、画素ピッチの狭ピッチ化に伴い視認距離が短くなることから、表示タイルを備える表示装置は、会議室および監視用途などのパソコンの画像表示用にも使用されている。特に、監視用途においては、静止画に近いパソコン画像を表示することが多くなっている。
【０００３】
また、表示タイルを備える表示装置としては、セラミックまたは樹脂などで成型されたキャビティの内部にＬＥＤ表示素子を実装し、これを封止樹脂で固めることで形成された小さなＬＥＤ表示モジュールを基板に実装したＳＭＤ（Ｓｕｒｆaｃｅ Ｍｏｕｎｔ Ｄｅｖｉｃｅ：表面実装部品）型が主流である。ＳＭＤ型の表示装置は、これまで画素ピッチが３ｍｍ以上の大型映像表示装置として使用されてきた。
【０００４】
しかし、近年では、ＬＥＤ表示素子の低コスト化と高精細化を背景に、画素ピッチが１〜２ｍｍ等の高密度実装品にて構成されたＬＥＤ表示装置をタイル状に複数並べて構成した大型映像表示装置が市場に導入されている。
【０００５】
例えば特許文献１および特許文献２には、ＬＥＤ表示装置の構成要素とその保持方法が開示されている。
【０００６】
特許文献１では、大型映像表示装置は、複数のＬＥＤ表示タイルから構成されたマルチディスプレイシステムにより構成されている。小さなＬＥＤ表示モジュール基板上に、Ｒ，Ｇ，ＢのＬＥＤ表示素子がモジュール基板の周縁部の近傍まで実装されている。複数のＬＥＤ表示モジュール基板が正方配列状に配置されて第１のＬＥＤ表示タイルを形成するために、複数のＬＥＤ表示モジュール基板がサポート構造に組み立てられている。第２のＬＥＤ表示タイルも、第１のＬＥＤ表示タイルと同様にサポート構造に組み立てられている。第１のＬＥＤ表示タイルと第２のＬＥＤ表示タイルは、非常に小さな隙間を維持して互いにほぼ密着した状態でサポート構造に組み立てられている。この非常に小さな隙間に対して、画素ピッチと同じ寸法が要求されている。
【０００７】
また、特許文献１および特許文献２には、ＬＥＤ表示タイルの側面の形状は平面形状に加工されている。これらのＬＥＤ表示タイルを複数組み合わせて大画面映像表示装置を構成する場合、各ＬＥＤ表示タイルの側面がほぼ密着するように連結される。
【０００８】
また、特許文献３には、フック型の連結部材を用いてＬＥＤ表示タイル同士を連結する構造が開示されている。
【先行技術文献】
【特許文献】
【０００９】
【特許文献１】米国特許第８３８４６１６号明細書
【特許文献２】中国特許第１０１９３７６３０号明細書
【特許文献３】中国特許第２０３６４４３３３号明細書
【発明の概要】
【発明が解決しようとする課題】
【００１０】
ＬＥＤ表示タイルと隣接するＬＥＤ表示タイルとの上下方向および左右方向の隙間、およびＬＥＤ表示面の前後方向の段差を画素ピッチと同じ寸法に抑えて、これらの隙間および段差が目立たないようにすることが必要となる。
【００１１】
特許文献１では、各ＬＥＤ表示タイルはその配列が損なわれることがないように取付け構造体により支持されている。この取付け構造体は、ＬＥＤ表示タイルと、上下方向および左右方向に隣接するＬＥＤ表示タイルとの隙間が画素ピッチと同じ寸法になるように配置されている。しかし、ＬＥＤ表示タイルの側面は平面に形成されているため、ＬＥＤ表示タイルを保持するサポート構造の寸法公差または平面度等の機械的な精度に起因して、ＬＥＤ表示タイルと隣接する他のＬＥＤ表示タイルとの隙間がばらつくという問題があった。
【００１２】
また、特許文献２では、ＬＥＤ表示モジュール基板がＬＥＤベース部品に取り付けられ、ＬＥＤベース部品の背面に筐体フレーム部品とジョイント部品が取り付けられている。そして、これらの部材から構成されたＬＥＤ表示タイルは、ほぼ平面形状の側面を有している。特許文献２においても、特許文献１の場合と同様に、ＬＥＤ表示タイルを上下方向および左右方向に複数配置した場合、ＬＥＤ表示タイルと隣接する他のＬＥＤ表示タイルとの隙間がばらつくという問題があった。
【００１３】
また、特許文献３では、フック型の連結部材を用いてＬＥＤ表示タイル同士を連結しているため、ＬＥＤ表示タイル同士の左右方向の連結に際して高精度な位置合わせが必要である。そのため、ＬＥＤ表示タイルの位置合わせに相当な時間を要するという問題があった。
【００１４】
このように特許文献１〜３に記載の構造では、ＬＥＤ表示タイルを構成する金属筐体の構造部品の加工寸法のバラツキ、またはＬＥＤ表示モジュール基板のソリ等によって、ＬＥＤ表示タイルと隣接する他のＬＥＤ表示タイルとの隙間およびＬＥＤ表示面の前後方向の段差が発生するという問題があった。このような隙間および段差は、輝度の変化または指向性の変化などにより、連結部、すなわち、ＬＥＤ表示タイルと隣接する他のＬＥＤ表示タイルとの間の目地として認識され、映像の品位が劣化する要因となっていた。
【００１５】
そこで、本発明は、簡単に、表示タイルと隣接する他の表示タイルとの間の目地を目立たなくすることで、映像の品位を向上させることが可能な表示装置を提供することを目的とする。
【課題を解決するための手段】
【００１６】
本発明に係る表示装置は、複数の表示素子が配列された表示タイルを上下方向および左右方向に複数配置して構成された表示装置であって、各前記表示タイルの背面に連結されたジョイントを介して、複数の前記表示タイルの背面を保持するフレームユニットと、前記ジョイントまたは前記フレームユニットに設けられ、かつ、前記表示タイルと、隣接する他の前記表示タイルとの間の目地幅を調整する目地幅調整機構とを備えたものである。
【発明の効果】
【００１７】
本発明によれば、表示装置は、ジョイントまたはフレームユニットに設けられ、かつ、表示タイルと、隣接する他の表示タイルとの間の目地幅を調整する目地幅調整機構を備えたため、目地幅調整機構により目地幅を調整することで、簡単に、表示タイルと隣接する他の表示タイルとの間の目地を目立たなくすることができる。これにより、映像の品位を向上させることができる。
【図面の簡単な説明】
【００１８】
【図１】実施の形態に係るＬＥＤ表示装置の斜視図である。
【図２】ＬＥＤ表示タイルの分解斜視図である。
【図３】ＬＥＤ表示装置における背面フレームを取り外した状態の背面図である。
【図４】ＬＥＤ表示タイルの背面斜視図である。
【図５】フレームとジョイントとの連結部の斜視図である。
【図６】図３のＡ−Ａ線断面図である。
【図７】図３のＢ−Ｂ線断面図である。
【図８】図６のＣ部拡大図である。
【図９】ＬＥＤベースと背面フレームユニットとの連結部の正面図である。
【図１０】ＬＥＤ表示タイルにおけるＺ方向の調整前の状態を示す断面図である。
【図１１】Ｚ方向調整工具を用いてブッシュを回転させて、ＬＥＤ表示タイルにおけるＺ方向の調整を行っている状態を示す断面図である。
【図１２】連結ネジを回転させて、ＬＥＤベースにジョイントを固定している状態を示す断面図である。
【図１３】ＬＥＤ表示タイルに対するＸ−Ｙ位置調整治具の着脱を説明するための図である。
【発明を実施するための形態】
【００１９】
＜実施の形態＞
本発明の実施の形態１について、図面を用いて以下に説明する。図１は、実施の形態に係るＬＥＤ表示装置２００の斜視図であり、図２は、ＬＥＤ表示タイル１ｆの分解斜視図である。図３は、ＬＥＤ表示装置における背面フレーム１３を取り外した状態の背面図である。
【００２０】
図１に示すように、表示装置としてのＬＥＤ表示装置２００は、複数の表示タイル１ａ〜１ｒ、ジョイント１０、背面フレームユニット２、および架台３を備えている。また、ＬＥＤ表示装置２００はさらに、ＬＥＤ表示タイルと、隣接する他のＬＥＤ表示タイルとの間の目地幅を調整する目地幅調整機構を備えている。
【００２１】
ＬＥＤ表示装置２００は、架台３に、例えば１８台の表示タイル１ａ〜１ｒを上下方向および左右方向に配置して構成されている。より具体的には、表示タイル１ａ〜１ｒは、上下方向に３台、左右方向に６台配置されている。１８台のＬＥＤ表示タイル１ａ〜１ｒは同じ構成であるため、ここではＬＥＤ表示タイル１ｆについて説明する。
【００２２】
図２に示すように、ＬＥＤ表示タイル１ｆは、４枚のＬＥＤモジュール基板５、およびＬＥＤベース６を備えている。４枚のＬＥＤモジュール基板５は、上下方向に２枚、左右方向に２枚配置されている。４枚のＬＥＤモジュール基板５の各々には、表示素子としてのＬＥＤが正方配列状に複数配列されている。ＬＥＤベース６は、４枚のＬＥＤモジュール基板５の背面に固定されている。４枚のＬＥＤモジュール基板５は、ＬＥＤベース６に対して精度よく位置調整され、ＬＥＤモジュール基板５と隣接するＬＥＤモジュール基板５との間の継ぎ目が目立たないように配置され固定されている。
【００２３】
背面フレームユニット２は、ＬＥＤ表示タイル１ａ〜１ｒの背面、より具体的には、ＬＥＤベース６の背面に複数のジョイント１０を介して連結され、ＬＥＤ表示タイル１ａ〜１ｒの背面を保持する。背面フレームユニット２は、矩形枠形状の２つの背面フレーム１２，１３を前後に組み付けて構成されている。背面フレーム１２および背面フレーム１３は、前後方向（以下、「Ｚ方向」ともいう）に延びる複数のフレーム１２ｅにより固定されている。フレーム１２ｅは、表示タイル１ａ〜１ｒの４つの角部に対応する位置に配置されている。
【００２４】
次に、背面フレーム１２について説明する。図１〜図３に示すように、背面フレーム１２は、前側のフレームであり、左右方向（以下、「Ｘ方向」ともいう）に延びる１２本のフレーム１２ａ、Ｘ方向に延びる１２本のフレーム１２ｄ、上下方向（以下、「Ｙ方向」ともいう）に延びる５本のフレーム１２ｂ、およびＹ方向に延びる２本の１２ｃを備えている。２本のフレーム１２ｃは、背面フレーム１２の左端部と右端部をそれぞれ形成している。５本のフレーム１２ｂは、ＬＥＤ表示タイルとＸ方向に隣接する他のＬＥＤ表示タイルとの間にそれぞれ配置されている。
【００２５】
１２本のフレーム１２ａは、背面フレーム１２の上端部と下端部を形成している。より具体的には、１２本のフレーム１２ａは、２本のフレーム１２ｃおよび５本のフレーム１２ｂにおける、各ＬＥＤ表示タイル１ａ〜１ｆの上端部および各ＬＥＤ表示タイル１ｍ〜１ｒの下端部に対応する位置にそれぞれ連結されている。１２本のフレーム１２ｄは、ＬＥＤ表示タイルとＹ方向に隣接する他のＬＥＤ表示タイルとの間にそれぞれ配置されている。
【００２６】
次に、背面フレーム１３について説明する。背面フレーム１３は、後側のフレームであり、Ｘ方向に延びる１２本のフレーム１３ａ、Ｘ方向に延びる１２本のフレーム１３ｄ、Ｙ方向に延びる５本のフレーム１３ｂ、およびＹ方向に延びる２本の１３ｃを備えている。２本のフレーム１３ｃは、背面フレーム１３の左端部と右端部をそれぞれ形成している。５本のフレーム１３ｂは、ＬＥＤ表示タイルとＸ方向に隣接する他のＬＥＤ表示タイルとの間にそれぞれ配置されている。
【００２７】
１２本のフレーム１３ａは、背面フレーム１３の上端部と下端部を形成している。より具体的には、１２本のフレーム１３ａは、２本のフレーム１３ｃおよび５本のフレーム１３ｂにおける、各ＬＥＤ表示タイル１ａ〜１ｆの上端部および各ＬＥＤ表示タイル１ｍ〜１ｒの下端部に対応する位置にそれぞれ連結されている。１２本のフレーム１３ｄは、ＬＥＤ表示タイルとＹ方向に隣接する他のＬＥＤ表示タイルとの間にそれぞれ配置されている。
【００２８】
また、ＬＥＤベース６の内部には、ＬＥＤ表示駆動回路および電源などが収容されているが、従来の構成と同様であるためその詳細については説明を省略する。
【００２９】
ＬＥＤベース６と背面フレームユニット２とでＬＥＤモジュール基板５を自立させる構成を採用することで、背面フレームユニット２を設けずにＬＥＤベース６の奥行を大きくしてＬＥＤベース６の外形寸法精度のみに頼ってＬＥＤモジュール基板５を自立させる従来の構成に比べて、ＬＥＤベース６を小型化できる。これにより、ＬＥＤベース６の外形寸法精度の向上および軽量化を図ることが可能となる。
【００３０】
また、背面フレームユニット２は組立式であるため、個々のフレームの歪みおよび組立誤差などを背面フレームユニット２の組立時に補正することができる。これにより、ＬＥＤベース６の加工コストを抑制することが可能となる。
【００３１】
図３に示すように、背面フレームユニット２の背面フレーム１２は、複数のジョイント１０により連結されている。より具体的には、複数のジョイント１０は、各ＬＥＤ表示タイル１ａ〜１ｆの４つの角部に対応する位置にそれぞれ配置され、フレーム１２ｃとフレーム１２ａ、フレーム１２ｃとフレーム１２ｄ、フレーム１２ｂとフレーム１２ａ、およびフレーム１２ｂとフレーム１２ｄについてそれぞれネジ１１０を用いて連結している。
【００３２】
また、背面フレームユニット２の背面フレーム１２は、複数の連結ネジ１００を用いてＬＥＤ表示タイル１ａ〜１ｒの背面に連結されている。なお、この連結方法については後述する。ＬＥＤ表示タイル１ｅの背面には、Ｘ−Ｙ位置調整治具５０が背面フレーム１２に取り付けられている。背面フレームユニット２は、断面が同じ押出しフレームなど複数の長さが違うフレームを用いることで安価に構成することが可能である。
【００３３】
図４は、ＬＥＤ表示タイル１ｆの背面斜視図である。図５は、フレーム１２ｄとフレーム１２ｂとジョイント１０との連結部の斜視図である。図６は、図３のＡ−Ａ線断面図であり、図７は、図３のＢ−Ｂ線断面図である。ここで、１８台のＬＥＤ表示タイル１ａ〜１ｒは同じ構成であるため、ここではＬＥＤ表示タイル１ｆについて説明する。
【００３４】
図４と図５に示すように、ＬＥＤ表示タイル１ｆの背面を構成するＬＥＤベース６の４つの角部には、雌ネジ穴付ボス８が設けられている。また、ＬＥＤベース６の下部には、Ｘ−Ｙ位置調整治具５０の嵌合ピン５１と嵌合可能な３つの嵌合穴７が設けられている。
【００３５】
ジョイント１０は、ＬＥＤ表示タイル１ｆの下側の角部に固定されるものと、ＬＥＤ表示タイル１ｆの上側の角部に固定されるものとで少し構成が異なっている。ＬＥＤ表示タイル１ｆの下側の角部に固定されるジョイント１０は、底面部１０ａ、前面部１０ｂ、および側面部１０ｃで構成され、上方、後方、および片方の側方が開放状に形成されている。ＬＥＤ表示タイル１ｆの下側の角部に使用されるジョイント１０はさらに、ＬＥＤ表示タイル１ｆに設けられた雌ネジ穴付ボス８を遊嵌可能なネジ穴１０４、およびネジ１１０が取付け可能な３つの固定用穴１１を備えている。ネジ穴１０４は、前面部１０ｂに設けられている。３つの固定用穴１１のうちの２つは底面部１０ａに設けられ、１つは側面部１０ｃに設けられている。
【００３６】
図６と図７に示すように、ＬＥＤ表示タイル１ｆの上側の角部に固定されるジョイント１０は、上面部１０ｄ、前面部１０ｂ、および側面部１０ｃで構成され、下方、後方、および片方の側方が開放状に形成されている。ＬＥＤ表示タイル１ｆの上側の角部に使用されるジョイント１０はさらに、ＬＥＤ表示タイル１ｆに設けられた雌ネジ穴付ボス８を遊嵌可能なネジ穴１０４、およびネジ１１０が取付け可能な３つの固定用穴１１を備えている。ネジ穴１０４は、前面部１０ｂに設けられている。３つの固定用穴１１のうちの２つは上面部１０ｄに設けられ、１つは側面部１０ｃに設けられている。
【００３７】
以下、ジョイント１０のうち、ＬＥＤ表示タイル１ｆの下側の角部に固定されるものと、ＬＥＤ表示タイル１ｆの上側の角部に固定されるものとで区別しない場合は、単にジョイント１０という。
【００３８】
図４と図５に示すように、フレーム１２ｄとフレーム１２ｂとジョイント１０との連結部では、ネジ１１０がジョイント１０の固定用穴１１を介して、フレーム１２ｂおよびフレーム１２ｄの溝に固定されたナット１１１に螺合することで連結されている。
【００３９】
図７に示すように、ＬＥＤ表示タイル１ｅの背面に設けられた嵌合穴７に、Ｘ−Ｙ方向位置調整治具５０の嵌合ピン５１が案内され挿入される。Ｘ−Ｙ方向位置調整治具５０は、ＬＥＤ表示タイル１ｅのＸ−Ｙ方向、すなわち、左右方向および上下方向の位置を調整する治具である。Ｘ−Ｙ方向位置調整治具５０は、背面フレームユニット２に着脱可能に構成され、各ＬＥＤ表示タイル１ａ〜１ｒの組立時に、ＬＥＤ表示タイル１ａ〜１ｒに対して順次使用される。そのため、ＬＥＤ表示タイル１ａ〜１ｒは、左右方向および上下方向の位置調整を行う機構を備える必要がなく、簡単な構造となり軽量化が図られている。なお、Ｘ−Ｙ方向位置調整治具５０の詳細については後述する。
【００４０】
次に、図８〜図１２を用いて、各ＬＥＤ表示タイル１ａ〜１ｒのＺ方向の位置を調整する第１調整機構について説明する。図８は、図６のＣ部拡大図である。図９は、ＬＥＤベース６と背面フレームユニット２との連結部の正面図である。図１０は、ＬＥＤ表示タイル１ｅにおけるＺ方向の調整前の状態を示す断面図である。図１１は、Ｚ方向調整工具３００を用いて雄ネジ付きブッシュ１０２を回転させて、ＬＥＤ表示タイル１ｅにおけるＺ方向の調整を行っている状態を示す断面図である。図１２は、連結ネジ１００を回転させて、ＬＥＤベース６にジョイント１０を固定している状態を示す断面図である。
【００４１】
目地幅調整機構は、各ＬＥＤ表示タイル１ａ〜１ｒのＺ方向の位置を調整する第１調整機構と、各ＬＥＤ表示タイル１ａ〜１ｒのＸ方向およびＹ方向（以下、「Ｘ−Ｙ方向」ともいう）の位置を調整する第２調整機構とを備えている。
【００４２】
図８と図９に示すように、第１調整機構は、雄ネジ付きブッシュ１０２を備えている。雄ネジ付きブッシュ１０２は、ジョイント１０のネジ穴１０４に螺合可能に構成されている。雄ネジ付きブッシュ１０２はジョイント１０のネジ穴１０４に螺合され、雌ネジ穴付ボス８は雄ネジ付きブッシュ１０２に挿通されている。ジョイント１０は、この状態で連結ネジ１００がワッシャ１０１を介して雌ネジ穴付ボス８に螺合することで、ＬＥＤ表示タイル１ｅに連結される。これにより、ＬＥＤ表示タイル１ｅは仮固定される。
【００４３】
図９に示すように、雄ネジ付ブッシュ１０２の後端部に、例えば６つの調整ピン挿入穴１０５が設けられている。６つの調整ピン挿入穴１０５は、３つずつ互いに対向するように設けられている。
【００４４】
ワッシャ１０１の円周上に、円弧形状に形成された２つの長穴１０６が設けられている。２つの長穴１０６は、互いに対向する位置であり、かつ、調整ピン挿入穴１０５がそれぞれ３つずつ露出する位置に設けられている。
【００４５】
次に、ＬＥＤ表示タイル１ｅの調整代について説明する。図８に示すように、寸法ａと寸法ｂはＬＥＤ表示タイル１ｅにおけるＺ方向の調整代であり、連結ネジ１００を緩めることにより寸法ａと寸法ｂを増やすことができる。また、（φｄ−φｃ）/２は、ＬＥＤ表示タイル１ｅにおけるＸ−Ｙ方向の調整代である。ここで、φｄは、雄ネジ付きブッシュ１０２の内径であり、φｃは雌ネジ穴付ボス８の外径である。すなわち、（φｄ−φｃ）/２とは、雄ネジ付きブッシュ１０２と雌ネジ穴付ボス８との間の隙間の寸法である。なお、ここで説明した寸法関係は、ＬＥＤ表示タイル１ｅの４つの角部とも同じである。
【００４６】
次に、ＬＥＤ表示タイル１ｅにおけるＺ方向の位置調整方法について説明する。最初に、Ｚ方向調整工具３００について説明する。図１０に示すように、Ｚ方向調整工具３００は、本体部３０３、凹部３０２、２本のピン３０１、およびハンドル３０４を備えている。本体部３０３は例えば直方体形状に形成され、本体部３０３の主面の周縁部を除く領域に、連結ネジ１００の頭部を収容可能な凹部３０２が設けられている。本体部３０３の主面の周縁部に、２本のピン３０１が設けられている。２本のピン３０１は、６つの調整ピン挿入穴１０５のうちの２つにそれぞれ挿入可能である。ハンドル３０４は、本体部３０３の主面とは反対側の面に設けられている。
【００４７】
図１０に示すように、Ｚ方向の調整前の位置であるデフォルト位置では、まず、ネジ１００を緩めて、雄ネジ付きブッシュ１０２の先端部をジョイント１０の前面部１０ｂの前面と同じ位置に合わせる。
【００４８】
次に、図１１に示すように、Ｚ方向調整工具３００の２本のピン３０１を、ワッシャ１０１の長穴１０６を介して雄ネジ付きブッシュ１０２の調整ピン挿入穴１０５に挿入する。そして、Ｚ方向調整工具３００を回転させることで雄ネジ付きブッシュ１０２を回転させて、ＬＥＤ表示タイル１ｅがＺ方向へ移動するように調整を行う。
【００４９】
Ｚ方向調整工具３００は、円弧形状に形成された長穴１０６の範囲で回転させることが可能であるため、Ｚ方向調整工具３００の回転範囲は限定されている。そのため、調整ピン挿入穴１０５が長穴１０６の端まで移動した場合、長穴１０６における反対側の端に位置する調整ピン挿入穴１０５にＺ方向調整工具３００のピン３０１を挿入し直しながら、雄ネジ付きブッシュ１０２を回転させることでＬＥＤ表示タイル１ｅのＺ方向の位置調整を行う。この調整により、ＬＥＤ表示タイル１ｅのＺ方向の位置が決定されたとき、図１２に示すように、連結ネジ１００を固定方向に回転させることでＬＥＤ表示タイル１ｅが固定される。
【００５０】
以上のように構成したことで、ＬＥＤ表示タイル１ａ〜１ｒと背面フレームユニット２との連結機構と、各ＬＥＤ表示タイル１ａ〜１ｒのＺ方向の位置を調整する第１調整機構とを簡単な構造で、かつ、コンパクトに構成することができる。さらに、ＬＥＤ表示タイルと隣接する他のＬＥＤ表示タイルとの間のＺ方向のズレであるＬＥＤ表示面のＺ方向の段差、すなわち、目地幅を精度よく調整することが可能である。
【００５１】
次に、各ＬＥＤ表示タイル１ａ〜１ｒのＸ−Ｙ方向の位置を調整する第２調整機構について説明する。図１３は、ＬＥＤ表示タイル１ｅに対するＸ−Ｙ位置調整治具５０の着脱を説明するための図である。
【００５２】
第２調整機構は、Ｘ−Ｙ位置調整治具５０を備えている。図１３に示すように、Ｘ−Ｙ位置調整治具５０は、プレート５２、４つの取付け穴５３、および３つの嵌合ピン５１を備えている。プレート５２は、２つのプレート５２ａ，５２ｂにより構成され、プレート５２ａの主面にプレート５２ｂが固定されている。プレート５２ａの両端部に、取付け穴５３が２つずつ設けられている。
【００５３】
プレート５２ｂの主面に、３つの嵌合ピン５１が設けられている。３つの嵌合ピン５１は、ＬＥＤ表示タイル１ｅの３つの嵌合穴７に対応する位置にそれぞれ設けられ、３つの嵌合穴７にそれぞれ挿入可能である。４つの取付け穴５３は、フレーム１２ｂの溝に設けられた４つのナット１１１に対応する位置にそれぞれ設けられている。４つの取付けネジ１１２を４つの取付け穴５３を介して４つのナット１１１にそれぞれ螺合させることで、Ｘ−Ｙ位置調整治具５０が背面フレームユニット２に取り付けられる。４つのナット１１１は、２つずつ２つのフレーム１２ｂの溝に固定されている。
【００５４】
４つの取付け穴５３の直径は、ＬＥＤ表示タイル１ｅにおけるＸ−Ｙ方向の調整代を含むように、４つの取付けネジ１１２の軸部の直径よりも大きく形成されている。そのため、４つの取付けネジ１１２は４つの取付け穴５３にそれぞれ遊嵌される。
【００５５】
Ｘ−Ｙ位置調整治具５０は、ＬＥＤ表示タイル１ｅの３つの嵌合穴７に３つの嵌合ピン５１を嵌合させることでＬＥＤ表示タイル１ｅに固定される。さらに、Ｘ−Ｙ位置調整治具５０は、４つの取付け穴５３に遊嵌された取付けネジ１１２により背面フレームユニット２の４つのナット１１１に取り付けられる。Ｘ−Ｙ位置調整治具５０は、４つの取付け穴５３におけるＬＥＤ表示タイル１ｅの調整代の範囲でＸ方向およびＹ方向に移動可能である。
【００５６】
４つの取付けネジ１１２がＸ−Ｙ位置調整治具５０の４つの取付け穴５３を介して、フレーム１２ｂの溝に設けられた４つのナット１１１にそれぞれ螺合されている。さらに、Ｘ−Ｙ位置調整治具５０の３つの嵌合ピン５１がＬＥＤ表示タイル１ｅの３つの嵌合穴７にそれぞれ嵌合されているため、Ｘ−Ｙ位置調整治具５０を４つの取付け穴５３におけるＬＥＤ表示タイル１ｅの調整代の範囲でＸ方向またはＹ方向に移動させると、フレーム１２ｂに対してＬＥＤ表示タイル１ｅもＸ方向またはＹ方向に移動する。これにより、ＬＥＤ表示タイル１ｅにおけるＸ−Ｙ方向の位置調整を行うことができる。
【００５７】
ＬＥＤ表示タイル１ａ〜１ｒの設置後にＸ−Ｙ方向の位置調整を行う場合、調整対象のＬＥＤ表示タイルにＸ−Ｙ位置調整治具５０を取り付けて、連結ネジ１００を緩めることでＸ−Ｙ方向の位置調整を行うことができる。
【００５８】
位置調整を行う順番は、調整対象のＬＥＤ表示タイルの４つの角部の連結ネジ１００を緩めて、図１０に示すデフォルト位置に調整する。Ｘ−Ｙ位置調整治具５０を調整対象のＬＥＤ表示タイルの背面フレームユニット２に取り付けて、Ｘ−Ｙ方向の位置を調整する。次に、Ｚ方向調整工具３００を用いて、調整対象のＬＥＤ表示タイルの前面の角部のＺ方向の位置を、調整対象のＬＥＤ表示タイルに隣接する他のＬＥＤ表示タイルの前面の角部のＺ方向の位置に合わせるように調整を行う。
【００５９】
調整完了後に、調整対象のＬＥＤ表示タイルとジョイント１０とをネジ１１０で固定する。ＬＥＤ表示タイルは、図１に示す例では、１ｏ、１ｐ、１ｎ、１ｑ、１ｉ、１ｊ・・・の順番に下側の中央から放射状に隣接する他のＬＥＤ表示タイルの位置調整が順次行われる。
【００６０】
なお、実施の形態では、１８面構成のＬＥＤ表示装置２００を例として説明したが  さらに多数のＬＥＤ表示タイルを備えるＬＥＤ表示装置の場合にも、これと同様の組立調整を行うことが可能である。
【００６１】
以上のように、実施の形態に係るＬＥＤ表示装置２００は、ジョイント１０または背面フレームユニット２に設けられ、かつ、ＬＥＤ表示タイルと、隣接する他のＬＥＤ表示タイルとの間の目地幅を調整する目地幅調整機構を備えたため、目地幅調整機構により目地幅を調整することで、簡単に、ＬＥＤ表示タイルと隣接する他のＬＥＤ表示タイルとの間の目地を目立たなくすることができる。これにより、映像の品位を向上させることができる。
【００６２】
目地幅調整機構は、各ＬＥＤ表示タイルのＺ方向の位置を調整する第１調整機構を備え、第１調整機構は、ジョイント１０のネジ穴１０４に螺合可能な雄ネジ付きブッシュ１０２を備え、雄ネジ付きブッシュ１０２は、各ＬＥＤ表示タイルに設けられた雌ネジ穴付ボス８を挿通可能に構成され、ジョイント１０は、雄ネジ付きブッシュ１０２がネジ穴１０４に螺合され、かつ、雌ネジ穴付ボス８が雄ネジ付きブッシュ１０２に挿通された状態で雌ネジ穴付ボス８に螺合された連結ネジ１００により各ＬＥＤ表示タイルに連結され、雄ネジ付きブッシュ１０２を介して各ＬＥＤ表示タイルとジョイント１０との間の隙間を調整することで、各ＬＥＤ表示タイルのＺ方向の位置を調整する。
【００６３】
したがって、ＬＥＤ表示タイルと隣接する他の表示タイルとの間のＺ方向のズレであるＬＥＤ表示面のＺ方向の段差、すなわち、目地幅を精度よく簡単に調整することができる。
【００６４】
また、ＬＥＤ表示タイル１ａ〜１ｒはＺ方向の位置を調整する機構を備える必要がないため、ＬＥＤ表示タイル１ａ〜１ｒをコンパクトに構成することができる。これに伴って、ＬＥＤベース６を軽量化できるため、ＬＥＤ表示タイル１ａ〜１ｒの取り扱いが容易になる。
【００６５】
さらに、ＬＥＤベース６の奥行が小さく形状も簡単になるので、ＬＥＤ表示タイル１ａ〜１ｒを構成する部品に関するコスト削減が可能となる。これにより、ＬＥＤ表示装置２００の製造コストを削減することができる。
【００６６】
目地幅調整機構は、各ＬＥＤ表示タイル１ａ〜１ｒのＸ方向またはＹ方向の位置を調整する第２調整機構を備え、第２調整機構は、各ＬＥＤ表示タイル１ａ〜１ｒおよび背面フレームユニット２に対して着脱可能なＸ−Ｙ位置調整治具５０を備え、Ｘ−Ｙ位置調整治具５０は、取付け穴５３と、各ＬＥＤ表示タイル１ａ〜１ｒに設けられた嵌合穴７に嵌合可能な嵌合ピン５１とを有し、Ｘ−Ｙ位置調整治具５０は、嵌合穴７に嵌合ピン５１を嵌合させることで各ＬＥＤ表示タイル１ａ〜１ｒに固定され、かつ、取付け穴５３に遊嵌された取付けネジ１１２により背面フレームユニット２に取り付けられ、取付け穴５３を介してＸ−Ｙ位置調整治具５０のＸ方向またはＹ方向の位置を調整することで、背面フレームユニット２に対する各ＬＥＤ表示タイル１ａ〜１ｒのＸ方向またはＹ方向の位置を調整する。
【００６７】
したがって、ＬＥＤ表示タイルと隣接する他の表示タイルとの間のＸ方向またはＹ方向のズレである隙間、すなわち、目地幅を精度よく簡単に調整することができる。
【００６８】
また、ＬＥＤ表示タイル１ａ〜１ｒはＸ方向またはＹ方向の位置を調整する機構を備える必要がないため、ＬＥＤ表示タイル１ａ〜１ｒをコンパクトに構成することができる。これに伴って、ＬＥＤベース６を軽量化できるため、ＬＥＤ表示タイル１ａ〜１ｒの取り扱いが容易になる。
【００６９】
Ｘ方向またはＹ方向の位置調整に関して、ＬＥＤベース６は、嵌合穴７を備えるだけでよいため、ＬＥＤベース６の構造が簡単になる。Ｘ−Ｙ位置調整治具５０は、各ＬＥＤ表示タイル１ａ〜１ｒおよび背面フレームユニット２に対して着脱可能なため、ＬＥＤ表示装置２００はＸ−Ｙ位置調整治具５０を１つだけ備えればよく、ＬＥＤ表示装置２００の製造コストを削減することができる。
【００７０】
なお、本発明は、その発明の範囲内において、実施の形態を適宜、変形、省略することが可能である。
【符号の説明】
【００７１】
１ａ〜１ｒ  ＬＥＤ表示タイル、２  背面フレームユニット、７  嵌合穴、８  雌ネジ穴付ボス、１０  ジョイント、５０  Ｘ−Ｙ位置調整治具、５１  嵌合ピン、５３  取付け穴、１００  連結ネジ、１０２  雄ネジ付きブッシュ、１０４  ネジ穴、１１２  取付けネジ、２００  ＬＥＤ表示装置。
【図１】
2018092060.tif 000003
【図２】
2018092060.tif 000004
【図３】
2018092060.tif 000005
【図４】
2018092060.tif 000006
【図５】
2018092060.tif 000007
【図６】
2018092060.tif 000008
【図７】
2018092060.tif 000009
【図８】
2018092060.tif 000010
【図９】
2018092060.tif 000011
【図１０】
2018092060.tif 000012
【図１１】
2018092060.tif 000013
【図１２】
2018092060.tif 000014
【図１３】
2018092060.tif 000015